(57)【要約】【課題】共用場所にいる人と、ロビーインターホンによる呼びだしとに応対でき、簡便にいたずらを防止する設定を行える集合住宅用インターホンシステムを提供する。【解決手段】本発明は、集合住宅の玄関に設置されるロビーインターホンと、集合住宅の各住戸に設置される住宅情報盤と、ロビーインターホンと住宅情報盤とに接続して集合住宅の管理室に設置される警報監視盤とを備え、警報監視盤は、ロビーインターホンによる呼び出しに応対できる集合住宅用インターホンシステムにおいて、警報監視盤に接続して集合住宅の共用場所に設置されロビーインターホンによる呼び出しに応対できるフロントインターホンを設け、フロントインターホンにおける操作の可否を設定する操作設定手段を設けたものであることを特徴としている。【選択図】  図１
2004159178.tif 000002
【特許請求の範囲】
【請求項１】
集合住宅の玄関に設置されるロビーインターホンと、集合住宅の各住戸に設置される住宅情報盤と、ロビーインターホンと住宅情報盤とに接続して集合住宅の管理室に設置される警報監視盤とを備え、警報監視盤は、ロビーインターホンによる呼び出しに応対できる集合住宅用インターホンシステムにおいて、警報監視盤に接続して集合住宅の共用場所に設置されロビーインターホンによる呼び出しに応対できるフロントインターホンを設け、フロントインターホンにおける操作の可否を設定する操作設定手段を設けたものであることを特徴とする集合住宅用インターホンシステム。
【請求項２】
操作設定手段は、フロントインターホンの操作をできなくしたときに、警報監視盤においてロビーインターホンによる呼び出しに応対できるようにするものであることを特徴とする請求項１記載の集合住宅用インターホンシステム。
【請求項３】
操作設定手段は、フロントインターホンに設けられるキースイッチであることを特徴とする請求項１または２記載の集合住宅用インターホンシステム。
【発明の詳細な説明】
【０００１】
【発明の属する技術分野】
本発明は、集合住宅用インターホンシステムに関する。
【０００２】
【従来の技術】
特開平９−６４９８９号公報には、集合住宅の共同玄関に設置されるロビーインターホンと、集合住宅の各住戸に設置される住宅情報盤と、集合住宅の管理室（管理人室）に設置される警報監視盤を有する集合住宅用インターホンシステム（集合住宅監視通話システム）において、防犯のためクロックタイマ手段を用いて時間帯により警報監視盤でロビーインターホンから住宅情報盤の呼びだしに応対できるものについて開示されている。
【０００３】
【特許文献１】
特開平９−６４９８９号公報
【０００４】
【発明が解決しようとする課題】
しかしながら、特開平９−６４９８９号公報に開示された構成によれば、警報監視盤は、管理人室や警備室などの管理室に設置されるので、警報監視盤のオペレータは、警報監視盤の操作などを行いながら建物内の共用場所にいる人に応対することはできない。
【０００５】
そのために、例えば、警報監視盤と同様にロビーインターホンから住宅情報盤の呼びだしに応対する機能を有するフロントインターホンを共用場所に設置することが考えられる。そのようにすれば、フロントインターホンのオペレータは、共用場所にいる人と、来訪者によるロビーインターホンによる呼びだしとに応対することができるようになる。しかしながら、そのようにしたとすると、このオペレータがフロントインターホンから離れたときに、フロントインターホンにいたずらをされる可能性がある。
【０００６】
本発明は、上記事由に鑑みてなしたもので、その目的とするところは、共用場所にいる人と、ロビーインターホンによる呼びだしとに応対することができ、簡便にいたずらを防止する設定を行える集合住宅用インターホンシステムを提供することにある。
【０００７】
【課題を解決するための手段】
請求項１に係る発明は、集合住宅の玄関に設置されるロビーインターホンと、集合住宅の各住戸に設置される住宅情報盤と、ロビーインターホンと住宅情報盤とに接続して集合住宅の管理室に設置される警報監視盤とを備え、警報監視盤は、ロビーインターホンによる呼び出しに応対できる集合住宅用インターホンシステムにおいて、警報監視盤に接続して集合住宅の共用場所に設置されロビーインターホンによる呼び出しに応対できるフロントインターホンを設け、フロントインターホンにおける操作の可否を設定する操作設定手段を設けたものであることを特徴としている。
【０００８】
したがって、ロビーインターホンから住宅情報盤の呼び出しに応対できるフロントインターホンを共用場所に設置することにより、フロントインターホンのオペレータは、共用場所にいる人と、ロビーインターホンによる呼びだしとに応対することができる。また、そのフロントインターホンにおける操作の可否を設定する操作設定手段を設けているので、このオペレータがフロントインターホンから離れるときなどの必要なときに、操作設定手段を用いてフロントインターホンの操作をできなくすることにより、フロントインターホンによるいたずらを防止することができる。このことにより、共用場所にいる人と、ロビーインターホンによる呼びだしとに応対でき、簡便にいたずらを防止する設定を行える集合住宅用インターホンシステムを提供できる。
【０００９】
請求項２に係る発明は、請求項１記載の集合住宅用インターホンシステムにおいて、操作設定手段は、フロントインターホンの操作をできなくしたときに、警報監視盤においてロビーインターホンによる呼び出しに応対できるようにするものであることを特徴としている。
【００１０】
したがって、ロビーインターホンから住宅情報盤の呼び出しに、フロントインターホンと警報監視盤の両方ともで応対できないように設定されることがないので、設定の間違いを防ぐことができる。
【００１１】
請求項３に係る発明は、請求項１または２記載の集合住宅用インターホンシステムにおいて、操作設定手段は、フロントインターホンに設けられるキースイッチであることを特徴としている。
【００１２】
したがって、フロントインターホンのオペレータは、その場で必要なときにキースイッチによりフロントインターホンの操作の可否を設定することができる。
【００１３】
【発明の実施の形態】
（第１の実施形態）
次に、すべての請求項の発明に係る一実施形態を図１乃至図３を用いて説明する。このものは、図１に示すように、ロビーインターホン１と、住宅情報盤２と、警報監視盤３と、フロントインターホン４と、操作設定手段５とを有して構成されている。これらのものは、図２に示すような集合住宅Ａのそれぞれの領域（玄関Ｌ、住戸Ｈ、管理室Ｍ、共用場所Ｃ）に設けられる。
【００１４】
ロビーインターホン１は、集合住宅Ａの玄関Ｌに設置されるものであり、端子部１ａと、多重伝送回路１ｂと、通話回路１ｃと、メイン回路１ｄと、表示部１ｅと、テンキー操作部１ｆと、アンプ１ｇと、スピーカ１ｈと、マイク１ｉと、メモリ１ｊと、電源部１ｋとを有して構成されている。
【００１５】
端子部１ａは、他の機器との接続を行うものであり、警報監視盤３を介して住宅情報盤２とフロントインターホン４に接続されている。また、このものは、電気錠を備えた玄関扉（図示せず）とも接続されており、解錠信号を出力することにより、玄関扉は解錠される。このものは、ロビーインターホン１により通話をするときには音声信号が入力され、他の機器からは解錠を指示する信号が入力される。
【００１６】
通話回路１ｃと、アンプ１ｇと、スピーカ１ｈと、マイク１ｉとは、ロビーインターホン１と他の機器（住宅情報盤２，警報監視盤３，フロントインターホン４）との間の通話に用いられるものである。表示部１ｅは、テンキー操作部１ｆの入力結果などを表示するものであり、テンキー操作部１ｆは、住宅情報盤２と、警報監視盤３と、フロントインターホン４とを呼び出すために用いられるものである。メイン回路１ｄは、通話処理や、解錠処理などを行うものであり、解錠処理を行うときには端子部１ａから解錠信号を出力する。
【００１７】
住宅情報盤２は、集合住宅Ａの内部の各住戸に設置されるものであり、ハンドセット２ａと、ベースプリント基板ブロック２ｂ、メインプリント基板ブロック２ｃ、表示操作プリント基板ブロック２ｄ、電源部２ｅ、スピーカ２ｆを有して構成されている。ハンドセット２ａは、ロビーインターホン１と、警報監視盤３と、フロントインターホン４からの呼び出しに応答して通話するものである。ベースプリント基板ブロック２ｂと、メインプリント基板ブロック２ｃと、表示操作プリント基板ブロック２ｄとは、各種処理を行う回路であり、ベースプリント基板ブロック２ｂは、警報監視盤３を介してロビーインターホン１とフロントインターホン４とに接続されている。
【００１８】
警報監視盤３は、集合住宅Ａ内の管理室Ｍ（例えば、管理人室など）に設置されるものであり、端子部３ａと、多重伝送回路３ｂと、通話回路３ｃと、メイン回路３ｄと、表示部３ｅと、操作部３ｆと、スピーカ３ｈと、ハンドセット３ｉと、メモリ３ｊと、電源部３ｋとを有して構成されている。
【００１９】
端子部３ａは、他の機器との接続を行うものであり、ロビーインターホン１と、住宅情報盤２と、フロントインターホン４とに接続されている。このものは、警報監視盤３が他の機器と通話をするときには音声信号が入力され、フロントインターホン４からは操作設定手段５の状態が変化したときに操作設定信号が入力される。
【００２０】
通話回路３ｃと、スピーカ３ｈと、ハンドセット３ｉとは、警報監視盤３と他の機器（ロビーインターホン１，住宅情報盤２，フロントインターホン４）との間の通話に用いられるものである。また、操作部３ｆは、警報監視盤３の設定や操作を行うものである。
【００２１】
メイン回路３ｄは、通話処理や、警報監視盤３の機能設定などを行うものである。このものは、ロビーインターホン１から住宅情報盤２の呼び出しに応対できるようにするため、ロビーインターホン１から住宅情報盤２の呼び出しを監視し、その呼び出しが行われたときに、ロビーインターホン１との通話により来訪者の応対を行えるようにしている。また、このものは、フロントインターホン４からの操作設定信号により、それがＯＮであることを検出すると、ロビーインターホン１から住宅情報盤２の呼び出しに応対する機能を停止する。一方、それがＯＦＦであることを検出すると、ロビーインターホン１から住宅情報盤２の呼び出しに応対する機能を行えるようにする。よって、ロビーインターホン１から住宅監視盤２の呼び出しに、フロントインターホン４と警報監視盤３の両方で応対できないように設定されることがないので、設定の間違いを防ぐことができる。
【００２２】
フロントインターホン４は、集合住宅Ａ内の共用場所Ｃに設置されるものであり、端子部４ａと、多重伝送回路４ｂと、通話回路４ｃと、メイン回路４ｄと、表示部４ｅと、操作部４ｆと、スピーカ４ｈと、ハンドセット４ｉと、メモリ４ｊと、電源部４ｋとを有して構成されている。
【００２３】
端子部４ａは、他の機器との接続を行うものであり、警報監視盤３を介してロビーインターホン１と、住宅情報盤２とに接続されている。このものは、フロントインターホン４が他の機器と通話をするときには音声信号が入力され、警報監視盤３に操作設定信号が入力される。
【００２４】
通話回路４ｃと、スピーカ４ｈと、ハンドセット４ｉとは、フロントインターホン４と他の機器（ロビーインターホン１，住宅情報盤２，警報監視盤３）との間の通話に用いられるものである。操作部４ｆは、フロントインターホン４の設定や操作を行うものであり、操作設定手段５を有している。
【００２５】
メイン回路４ｄは、通話処理や、操作設定処理などを行うものである。このものは、ロビーインターホン１から住宅情報盤２の呼び出しに応対できるようにするため、ロビーインターホン１から住宅情報盤２の呼び出しを警報監視盤３により監視し、その呼び出しが行われたときに、ロビーインターホン１との通話により来訪者の応対を行えるようにしている。したがって、フロントインターホンのオペレータは、共用場所にいる人と、ロビーインターホンによる呼びだしとに応対することができる。また、このものは、操作設定手段５の状態が変化したときに、操作設定信号を警報監視盤３に出力するとともに、その操作設定手段５の状態に基づいてフロントインターホン４の動作の設定を行う。
【００２６】
操作設定手段５は、キースイッチであり、このキースイッチをＯＮにすると、フロントインターホン４の操作ができるようにし、ＯＦＦにすると、フロントインターホン４の操作をできなくすることができる。すなわち、フロントインターホン４における操作の可否を設定することができる。このものは、キースイッチの鍵の所有者であれば操作することができるので、フロントインターホン４のオペレータが鍵を持っていれば、オペレータがフロントインターホン４から離れるときにキースイッチをＯＦＦにすることにより、いたずらを防止できる。
【００２７】
逆に、オペレータが戻ってきたときにキースイッチをＯＮにすることにより、フロントインターホン４を操作することができるようになる。すなわち、フロントインターホン４のオペレータは、その場で必要なときにキースイッチによりフロントインターホン４の操作の可否を設定することができる。
【００２８】
次に、第１の実施形態の動作について説明する。まず、フロントインターホン４のキースイッチ（操作設定手段５）がＯＦＦになっているときには、来訪者のロビーインターホン１による住宅情報盤２の呼び出しに応対する機能は警報監視盤３が有している。そこで、オペレータがフロントインターホン４において操作を行うかオペレータ自身が決定し（ＳＴ１）、オペレータが操作を行うようにするならばキースイッチをＯＮにする（ＳＴ１１）。そうすると、フロントインターホン４は、住宅監視盤２による住人との応対と、ロビーインターホン１による来訪者との応対をできるようにする（ＳＴ１２）。このとき、キースイッチの状態がＯＦＦからＯＮに変化するので、メイン回路４ｄは、警報監視盤３に操作設定信号を送信する。すると、警報監視盤３は、操作設定信号によりフロントインターホン４がＯＮになったことを検出し、メイン回路３ｄによりロビーインターホン１による来訪者との応対をできなくする（ＳＴ１３）。
【００２９】
一方、この状態で、キースイッチをＯＦＦにすると（ＳＴ２１）、フロントインターホン４は、メイン回路４ｄによりフロントインターホン４におけるすべての操作をできなくする（ＳＴ２２）。このとき、キースイッチの状態がＯＮからＯＦＦに変化するので、メイン回路４ｄは、警報監視盤３に操作設定信号を送信する。すると、警報監視盤３は、操作設定信号によりフロントインターホン４がＯＦＦになったことを検出し、メイン回路３ｄによりロビーインターホン１による来訪者との応対をできるようにする（ＳＴ２３）。ここで、フロントインターホン４は、操作できない状態となるので、いたずらを防止することができる。
【００３０】
このように、第１の実施形態においては、ロビーインターホンから住宅情報盤の呼び出しに応対できるフロントインターホンを共用場所に設置することにより、フロントインターホンのオペレータは、共用場所にいる人と、ロビーインターホンによる呼びだしとに応対することができる。また、そのフロントインターホンにおける操作の可否を設定する操作設定手段を設けているので、このオペレータがフロントインターホンから離れるときなどの必要なときに、操作設定手段を用いてフロントインターホンの操作をできなくすることにより、フロントインターホンによるいたずらを防止することができる。このことにより、共用場所にいる人と、ロビーインターホンによる呼びだしとに応対でき、簡便にいたずらを防止する設定を行える集合住宅用インターホンシステムを提供できる。
【００３１】
また、ロビーインターホンから住宅情報盤の呼び出しに、フロントインターホンと警報監視盤の両方で応対できないように設定されることがないので、設定の間違いを防ぐことができ、フロントインターホンのオペレータは、その場で必要なときにキースイッチによりフロントインターホンの操作の可否を設定することができる。
【００３２】
なお、ここでは、警報監視盤３とフロントインターホン４のどちらか一方のみがロビーインターホン１から住宅監視盤２への呼び出しに応対することができるものについて説明したが、それらの両方で応対するように構成することもできる。
【００３３】
また、ここでは、フロントインターホン４に操作設定手段５を設けたものを説明したが、警報監視盤３に設けるものであってもよい。また、操作設定手段５としてキースイッチを用いたものを説明したが、それに限るものではなく、特定の者しか操作できない機構であれば用いることができる。
【００３４】
【発明の効果】
請求項１に係る発明によれば、フロントインターホンのオペレータは、共用場所にいる人と、ロビーインターホンによる呼びだしとに応対することができ、必要なときに操作設定手段を用いてフロントインターホンの操作をできなくすることにより、フロントインターホンによるいたずらを防止することができる。このことにより、共用場所にいる人と、ロビーインターホンによる呼びだしとに応対でき、簡便にいたずらを防止する設定を行える集合住宅用インターホンシステムを提供できる。
【００３５】
請求項２に係る発明によれば、請求項１記載の効果に加え、ロビーインターホンから住宅情報盤の呼び出しに、フロントインターホンと警報監視盤の両方で応対できないように設定されることがないので、設定の間違いを防ぐことができる。
【００３６】
請求項３に係る発明によれば、請求項１または２記載の効果に加え、フロントインターホンのオペレータは、その場で必要なときにキースイッチによりフロントインターホンの操作の可否を設定することができる。
【図面の簡単な説明】
【図１】第１の実施形態の構成を示すブロック図である。
【図２】第１の実施形態の配置を示す構成図である。
【図３】第１の実施形態の動作を示すフローチャートである。
【符号の説明】
１      ロビーインターホン
２      住宅情報盤
３      警報監視盤
４      フロントインターホン
５      操作設定手段
Ａ      集合住宅
Ｌ      玄関
Ｃ      共用場所
Ｈ      住戸
Ｍ      管理室
【図１】
2004159178.tif 000003
【図２】
2004159178.tif 000004
【図３】
2004159178.tif 000005